(57)【要約】      （修正有）【課題】弾性繊維の特徴である伸長性と緊迫力（パワー）との関係を利用し、最も必要な部位に最も緊迫力（パワー）がかかる構造にし、弾性繊維のパワーバランスにより必要部位を面的に抑え、女性のバスト部及びボディ部を形よく整える効果を発揮させるパターン構造と縫製技術によるブラジャーを提供する。【解決手段】ブラジャーのバックパターンを脇線付近で前側１３ａと脇側１３ｂに二分割し、前記前側と脇側の縫製箇所の辺長に寸法差を付けて縫製する。縫製部分の形状を、前記前側又は脇側に突き出した三角形状とし、前記三角形の頂点Ｐの位置が、前記頂点を通り脇線に平行なバックパターン上の仮想線分において、バックパターン上辺部から３０〜６０％の範囲にする。さらに前記前側と脇側の縫製箇所の大きい方の辺長が、小さい方の辺長に対して１．１〜１．５倍とする。【選択図】図１
0003180479.tif 000002
【実用新案登録請求の範囲】
【請求項１】
バックパターンを脇線付近で前側と脇側に二分割し、前記前側と脇側の縫製箇所の辺長に寸法差を付けて縫製することを特徴とするブラジャー。
【請求項２】
バックパターンを二分割して形成される縫製部分の形状が、前記前側又は脇側に突き出した三角形状であることを特徴とする請求項１に記載のブラジャー。
【請求項３】
前記三角形の頂点の位置が、前記頂点を通り脇線に平行なバックパターン上の仮想線分において、バックパターン上辺部から３０〜６０％の範囲にあることを特徴とする請求項２に記載のブラジャー。
【請求項４】
前記前側と脇側の縫製箇所の大きい方の辺長が、小さい方の辺長に対して１．１〜１．５倍であることを特徴とする請求項１乃至３に記載のブラジャー。
【考案の詳細な説明】
【技術分野】
【０００１】
本考案は、女性のバスト部及びボディ部を形よく整えスッキリしたシルエットを体現しバスト部の保護及びアウターウェアーを形よく着こなすブラジャーに関するものである。
【背景技術】
【０００２】
従来の技術は、ブラジャーを人体に適切に着装し、静止時及び運動時にもその適切な位置を保持する為、ブラジャーの上辺部及び下辺部といった外辺部には伸縮性のあるスパンデックスやロイカ等の弾性繊維を編みこんだストレッチテープを使用し、バックパターン部分には弾性繊維を編みこんだパワーネット等と組み合わせることは一般的に知られかつ使用されている。
【０００３】
しかしながら、上記の構造をもったブラジャーを着用するとブラジャー上辺部の緊迫力が強いためストレッチテープ使用箇所のみが体に食い込み、人体の脇部分、特にバックパターン中央部が外に向かい膨らんでしまう現象が起き、かならずしもスッキリしたシルエットが得られない悩みがあった。
【０００４】
従来の技術はこの現象を抑えるため、樹脂ボーンと呼ばれる合成樹脂からなるフィルム加工された平面的な棒状の部材を取り付けて解決していた。
【０００５】
その場合人体の膨らみは解消されるが、樹脂ボーンの硬さにより、特に人体をひねったり、折り曲げたりするような運動時において人体に食い込んで、痛みや場合によっては人体を傷つけたりする危険性を持っていた。
【特許文献１】登録実用新案公報第３０６１９０５号
【考案の開示】
【考案が解決しようとする課題】
【０００６】
解決しようとする問題点は、前述の課題を弾性繊維の特徴を生かし独自のパターン構造によって解決し、人体のどの様な動きによっても痛みや刺激が発生せず快適に必要部位を平面化させようとするものである。
【課題を解決するための手段】
【０００７】
本考案は、弾性繊維の特徴である伸長性と緊迫力（パワー）との関係を利用し、最も必要な部位に最も緊迫力（パワー）がかかる構造にし、弾性繊維のパワーバランスにより必要部位を面的に抑え、女性のバスト部及びボディ部を形よく整える効果を発揮させるパターン構造と縫製技術によるブラジャーである。
【実施例】
【０００８】
図１は、本考案の実施形態に係わるブラジャー１０を示し、バックパターン１３は脇線付近で前側１３ａと脇側１３ｂに分割されており、前記分割された部分と上辺１４の交点Ｂ１から点Ｐを経て下辺１５との交点Ｂ２に至るはぎ線は、点Ｐを頂点として脇側に突き出た三角形状をしている。
【０００９】
図２は、２分割されたバックパターン１３ａ及び１３ｂの縫製前の状態を示し、前記三角形が脇側に突き出した例であり、図３は前記三角形が前側に突き出した例である。
【００１０】
図２において、縫製前のバックパターン前側１３ａ及び脇側１３ｂにおいて、前記前側１３ａの長さＬａ１＋Ｌａ２に対して、前記後側１３ｂの長さＬｂ１＋Ｌｂ２が１．１〜１．５倍長くなるように寸法差が付けられている。
【００１１】
同様に図３において、縫製前のバックパターン前側１３ａ’及び脇側１３ｂ’において、前記前側１３ａ’長さＬａ１’＋Ｌａ２’に対して、前記後側１３ｂ’の長さＬｂ１’＋Ｌｂ２’が１．１〜１．５倍長くなるように寸法差が付けられている。
【００１２】
図２及び図３に示すようなパターン構造は、考案者において開発されたものであり、縫製前の裁断状態及び縫製後の製品を「ダイヤモンド・カット」と称する。
【００１３】
寸法差の異なる前記前側と脇側の二つの三角形部分（ダイヤモンド・カット）を縫製する場合は、寸法の短い側を平均的に伸ばしながら頂点部分が符合するように縫製することで一枚のバックパターンとする。
【００１４】
前記三角形の頂点Ｐの位置は、頂点Ｐを通る脇線に平行なバックパターン上の線分Ｌｐにおいて、前記上辺部から３０〜６０％の範囲となるようにすることで、幅広いデザインのブラジャーに対応することができる。
【００１５】
縫製後のバックパターン１３（ダイヤモンド・カット）において最も強く引っ張られた三角形状の頂点部に最大の緊迫力が働き面的に脇の膨らみを抑えることができる。
【図面の簡単な説明】
【００１６】
【図１】ダイヤモンド・カットされたバックパターン前側と脇側を縫製した後の本考案の説明図である。（左半分を省略、以下の図において同じ）
【図２】ダイヤモンドカットの概念を示す縫製前の説明図（１）である。
【図３】ダイヤモンドカットの概念を示す縫製前の説明図（２）である。
【図４】ダイヤモンドカットを採用したバックパターンで縫製したブラジャーを人体に装着した場合の説明図である。
【図５】従来のバックパターンの説明図である。
【図６】従来のバックパターンで縫製したブラジャーを人体に装着した場合の正面、側面及び背面図である。
【図７】従来のバックパターンで縫製したブラジャーを人体に装着した場合の説明図である。
【符号の説明】
【００１７】
１０    ブラジャー
１１    カップ
１２    土台
１３    バックパターン
１３ａ  バックパターン前側
１３ａ’バックパターン前側
１３ｂ  バックパターン脇側
１３ｂ’バックパターン脇側
１４    上辺
１５    下辺
１６    フック
１７    腋点
Ｂ１、Ｂ２  ダイヤモンド・カットと上辺及び下辺の交点
Ｐ、Ｐａ、Ｐｂ、Ｐａ’Ｐｂ’  ダイヤモンドカットの頂点
Ｌａ１、Ｌａ２、Ｌａ１’、Ｌａ２’  バックパターン前側の縫製部分の長さ
Ｌｂ１、Ｌｂ２、Ｌｂ１’、Ｌｂ２’  バックパターン脇側の縫製部分の長さ
Ｌｐ    頂点Ｐを通るバックパターン上の脇線に平行な線分
【図１】
0003180479.tif 000003
【図２】
0003180479.tif 000004
【図３】
0003180479.tif 000005
【図４】
0003180479.tif 000006
【図５】
0003180479.tif 000007
【図６】
0003180479.tif 000008
【図７】
0003180479.tif 000009